(57)【要約】      （修正有）【課題】写真やイラストの平面写真やの画像をそのまま用いることができ、取り扱い性が高くかつ立体表現が優れた板状看板を提供する。【解決手段】紫外線硬化型インクを噴射するインクジェットプリンタによって、本体板１８の表示面１４に対象商品の写真やイラストを含む画像１６を印刷した板状看板において、板状看板１０の本体板１８は、表示面１４が、インクジェットプリンタの印刷可能高さ範囲内であって対象商品に応じて凹凸が形成された樹脂成型板であり、そのインクジェットプリンタからＫ（黒）、Ｃ（シアン）、Ｍ（マゼンタ）、Ｙ（イエロー）、Ｗ（白）の紫外線硬化型インクを噴射して対象商品の写真やイラストを含む画像を平面印刷時と同様に印刷し、これによって、当該表示面１４に凹凸のある画像１６を形成した板状看板１０である。【選択図】図１
0003168678.tif 000002
【実用新案登録請求の範囲】
【請求項１】
紫外線硬化型インクを噴射するインクジェットプリンタによって、表示面に対象物の写真やイラストを含む画像を印刷した板状看板において、  板状看板の本体板は、表示面が、インクジェットプリンタの印刷可能高さ範囲内であって対象物の写真やイラストに応じて凹凸形成された樹脂成型板であり、  前記本体板の凹凸形成された表示面に、インクジェットプリンタによって紫外線硬化型インクを噴射して対象物の写真やイラストを含む画像を平面印刷時と同様に印刷することによって、当該表示面に凹凸のある画像を形成したものであることを特徴とする板状看板。
【請求項２】
板状看板の本体板は、対象物の写真やイラストまたは対象物の現物や模型に基づき形成された奥行のある雄型原型から形成した樹脂製の雌型に樹脂材を流し込んで形成したものであることを特徴とする請求項１に記載の板状看板。
【考案の詳細な説明】
【技術分野】
【０００１】  本考案は、商品やサービス等の広告を顧客に見やすく表示面に表示する商業用の表示板である板状看板に関する。
【背景技術】
【０００２】  一般に、商品自体を販売する店舗や飲食のサービスを提供する店舗では、客に販売する商品や提供するサービスに関する商品の写真やイラスト、キャラクターおよびその名称等の関連情報の表示された看板を店舗内、店舗外、あるいは街頭等に設置して、その看板によって、顧客に商品内容を表示し、販売を促進するようにしている。【０００３】  上記のような商品やサービスを表示する商業用の看板は、設置することにより、好みの商品やサービスを探している人の目だけでなく単に通行している人の目までをも強く引きつけて、商品やサービスの購入を促す機能を発揮することを目的とするものである。【０００４】  したがって、看板には目立つために様々なアイデアが凝らされている。【０００５】  例えば、母板に凹凸を付けて写真を貼付ける看板がある。【０００６】  また、実公平２−１２９２３号公報（：特許文献１）には、１枚のシート内に、商品広告の表示されたポスター板と、商品などを型取りした立体表示板とをミシン目線を介して設け、係止片が外周縁に有る立体表示板を切り離し、該立体表示板を前方に湾曲させた状態で前記ポスター板の係止切り込みに前記係止片を差込むことによって固定する手作り立体ポスターシートが提案されている。【０００７】  また、実公平４−１４７８４号公報（：特許文献２）においては、透光性の表示板の一方の面の表示部に、文字部印刷層と文字影部印刷とをズレをもって積層形成し、それ以外に遮光膜層を形成し、文字等を立体表示するようにした表示板が提案されている。【０００８】  また、実用新案登録第３１５３８８６号公報（：特許文献３）では、看板がメタリックに見えるように、透明アクリル板の裏面にシルバー風塗料と黒色塗料をドットシルク印刷し、その後、立体成型して内部照明によって夜間でも昼間と同じメタリック感が出るようにした立体造形看板を提案している。【０００９】  なお、一般に広告のポスター等の印刷物が屋外使用のことから耐食性、耐水性が必要なため、特開２００９−２８５９２５号公報（：特許文献４）に示されるような、紫外線硬化型インクをインクジェットヘッドノズルから吐出して記録媒体の表面に画像を形成するインクジェット記録装置が用いられる。
【先行技術文献】
【特許文献】
【００１０】
【特許文献１】実公平２−１２９２３号公報
【特許文献２】実公平４−１４７８４号公報
【特許文献３】実用新案登録第３１５３８８６号公報
【特許文献４】特開２００９−２８５９２５号公報
【考案の概要】
【考案が解決しようとする課題】
【００１１】  しかしながら、前記のように母板に凹凸を付けて写真を貼付けたものでは、凹凸の正面から側面に至る箇所で写真が部分的に湾曲してどうしても違和感が強く、使いにくいものであった。【００１２】  また、特許文献１の立体ポスターシートでは、平面に印刷した立体表示板をポスター板に折り曲げて係止するため、立体表示板について印刷の際に表示対象を展開した状態で印刷する必要があり、折り曲げた立体表示板の端部とポスター板との接する箇所がどうしても表現に不自然さが残る。それと共にミシン目線から切り離して係止片を切り込み孔に一々差込む手間が掛かるという問題がある。【００１３】  また、前記特許文献２の表示板では、文字の陰影で立体的に見せているが単なる影付き文字の視覚的効果しか期待できず、視覚性が低く、ディスプレイで商品の表示するのは困難である。【００１４】  また、前記特許文献３は、平坦なアクリル板に多層印刷した後にそれを立体成型するが、印刷層が裏面側で、しかも、曲げた成型する際に印刷面を型の凹凸と位置合わせするのが難しく、かつ、印刷面が曲がるので、印刷の際に立体を展開した印刷をしなければならず、エッジ部の表現性はやはり不十分なものである。【００１５】  したがって、前記の各従来技術は、何れも取り扱い性および立体視させるための表現性が不十分であるという問題がある。また、特許文献４の技術では、その問題を解決できない。【００１６】  本考案は、上記の問題を解消するためなされたものであって、写真やイラストの平面写真やの画像をそのまま用いることができ、取り扱い性が高くかつ立体表現が優れた板状看板を提供するものである。
【課題を解決するための手段】
【００１７】  本考案は、紫外線硬化型インクを噴射するインクジェットプリンタによって、表示面に対象物（販売やサービスの対象の商品等）の写真やイラストを含む画像を印刷した板状看板において、  板状看板の本体板は、表示面が、インクジェットプリンタの印刷可能高さ範囲内であって対象物の写真やイラストに応じて凹凸形成された樹脂成型板であり、  前記前記本体板の凹凸形成された表示面に、インクジェットプリンタによって紫外線硬化型インクを噴射して対象物の写真やイラストを含む画像を平面印刷時と同様に印刷することによって、当該表示面に凹凸のある画像を形成したものであることを特徴とする板状看板である。【００１８】  本考案において、板状看板の本体板は、対象物の写真やイラストまたは対象物の現物や模型に基づき形成された奥行のある雄型原型から形成した樹脂製の雌型に樹脂材を流し込んで形成したものであることが好適である。
【考案の効果】
【００１９】  本考案の板状看板によれば、板状看板の本体板は、表示面を、インクジェットプリンタの印刷可能高さ範囲内であって対象物の写真やイラストに応じて凹凸形成した樹脂成型板とし、前記前記本体板の凹凸形成された表示面に、インクジェットプリンタによって紫外線硬化型インクを噴射して対象物の写真やイラストを含む画像を平面印刷時と同様に印刷することによって、当該表示面に凹凸のある画像を形成した板状看板とすることによって、写真やイラストを平面印刷するよりも凹凸によって商品等対象物の立体感が強調されて、立体的な目を引く看板とすることができる。【００２０】  なお、板状看板の本体板は、対象物の写真やイラストまたは対象物の現物や模型に基づき形成された奥行のある雄型原型から形成した樹脂製の雌型に樹脂材を流し込んで形成したものにすれば、雌型に樹脂材を流し込むことによって必要に応じて任意に多数の本体板を作成することができ、その本体板に対象物の写真やイラストを含む画像を平面印刷時と同様に印刷することによって、当該表示面に凹凸のある画像を形成できる。したがって、本体板を個別に作成するよりも、多数の本考案の板状看板を必要数に簡単に作成することができる等の優れた効果を奏し得る。
【図面の簡単な説明】
【００２１】
【図１】本考案の実施形態に係る板状看板の説明図であって、（ａ）は正面側の斜視図、（ｂ）は側面視図である。
【図２】図１の板状看板の製作手順の説明図であって、（ａ）は原図および板状看板の説明図、（ｂ）は雌型形成工程、（ｃ）は本体板形成工程、（ｄ）は表示面印刷工程の説明図である。
【考案を実施するための形態】
【００２２】  以下、本考案の実施形態について、添付図面を参照して説明する。
【００２３】  図１は実施形態に係る板状看板の説明図、図２は製作手順説明図である。
【００２４】  図１〜図２に示すように、実施形態に係る板状看板１０は、紫外線硬化型インクを噴射するインクジェットプリンタ１２によって、本体板１８の表示面１４に対象商品（販売やサービスの対象の商品等）写真やイラストを含む画像を平面印刷時と同様に印刷することによって、当該表示面１４に凹凸のある画像１６を形成した板状看板１０に関するものである。
【００２５】  板状看板１０の本体板１８は、表示面１４が、インクジェットプリンタ１２印刷可能高さ範囲内であって対象商品に応じて凹凸が形成された（図１では、表示面１４の凹凸部１４ａおよび文字部１４ｃが平坦なベース面１４ｂに形成されている）樹脂成型板である。
【００２６】  インクジェットプリンタ１２は、紫外線硬化型樹脂をノズルから噴射して印刷するタイプのものであれば各種のものを使用可能である。図２の（ｄ）に示すインクジェットプリンタ１２は、上流側から下流側に向けて、黒（Ｋ）、シアン（Ｃ）、マゼンタ（Ｍ）、イエロー（Ｙ）、白（Ｗ）の各色インクに対応して設けられた複数の各インクジェットヘッド１２Ｋ、１２Ｃ、１２Ｍ、１２Ｙ、１２Ｗに供給する紫外線硬化型インク（ＵＶインク）をそれぞれ貯蔵するインク貯蔵部２０（２０Ｋ、２０Ｃ、２０Ｍ、２０Ｙ、２０Ｗ）と、各インクジェットヘッド１２Ｋ、１２Ｃ、１２Ｍ、１２Ｙ、１２Ｗの間に配置された半硬化光源２２（２２Ａ、２２Ｂ、２２Ｃ、２２Ｄ）と、半硬化光源２２（２２Ａ、２２Ｂ、２２Ｃ、２２Ｄ）と各ヘッドとの間に配置されてインクジェットヘッド１２Ｋ、１２Ｃ、１２Ｍ、１２Ｙ、１２Ｗ側への紫外線を遮光する光トラップ（図示省略）と、半硬化光源２２の最下流側（半硬化光源２２Ｄ）のさらに下流側に設けられた完全硬化光源２４と、本体板１８を吸着して搬送する吸着ベルト搬送部２６とを主に備えている。
【００２７】  複数の各インクジェットヘッド１２Ｋ、１２Ｃ、１２Ｍ、１２Ｙ、１２Ｗは、本体板１８の送り方向に沿って上流側から１２Ｋ、１２Ｃ、１２Ｍ、１２Ｙ、１２Ｗの色順に並んで配置され、それぞれのインクジェットヘッド１２Ｋ、１２Ｃ、１２Ｍ、１２Ｙ、１２Ｗは本体板１８の搬送方向と略直交する方向に沿って延在して固定配置される。
【００２８】  吸着ベルト搬送部２６によって本体板１８を搬送しつつ各インクジェットヘッド１２Ｋ、１２Ｃ、１２Ｍ、１２Ｙ、１２Ｗから異なる色のインク液滴を噴射吐出することにより本体板１８上にカラー画像１６を形成する。
【００２９】  インクジェットヘッド１２Ｋ、１２Ｃ、１２Ｍ、１２Ｙ、１２Ｗのインク噴射能力は、液滴を飛ばして描画できる距離に関するものである。インクジェットヘッド１２Ｋ、１２Ｃ、１２Ｍ、１２Ｙ、１２Ｗのインク噴射能力に応じて、図１（ｂ）の本体板１８の凹凸部１４ａがベース面１４ｂに対する高さ（符号「ｔ」で示す）となる、表示面１４の凹凸に対して、その最前面から最奥面に液滴を飛ばしてインクで描画することができる、インクジェットプリンタ１２の印刷可能高さになる。
【００３０】  このインクジェットプリンタ１２の印刷可能高さは、カタログデータのみならず実際のインク噴射能力に応じたものにできる。また、印刷可能高さは、奥側にぼかしを入れる場合等はインク噴射能力よりも高く設定することもできる。
【００３１】  インクジェットプリンタ１２において、使用する紫外線硬化型インクは、紫外線の照射によって硬化（重合化）する成分（モノマー、オリゴマー、または低分子量ホモポリマー、コポリマー等の紫外線硬化性成分）と重合開始剤とを含むインクであり、紫外線を受光すると重合を開始し、重合の進行とともに増粘し時間経過後に硬化する性質を有する。
【００３２】  また、半硬化光源２２（２２Ａ、２２Ｂ、２２Ｃ、２２Ｄ）は、紫外線光源（例えばＬＥＤ素子）によって構成するものであり、その硬化処理は本体板１８上において他色インク液滴同士が干渉によって混色することを防止する程度に硬化できればよく、インク中に未硬化部分が残る半固溶状態でよいものである。
【００３３】  また、完全硬化光源２４は、上記の半硬化光源２２よりも強い紫外線照射量の光源（例えば水銀ランプ、メタルハライドランプ）を用いる。また、波長や照射領域も完全硬化光源２４が半硬化光源２２よりも大きく設定することが好ましい。
【００３４】  本体板１８を形成する樹脂は、ウレタン、エポキシ、ＦＲＰ等の流し込等によって成型可能な樹脂であれば各種のものを使用することができる。
【００３５】  実施形態の板状看板１０は、インクジェットプリンタ１２のインクジェットヘッド１２Ｋ、１２Ｃ、１２Ｍ、１２Ｙ、１２ＷからＫ、Ｃ、Ｍ、Ｙ、Ｗの紫外線硬化型インクを噴射して対象商品（対象物）の写真やイラストを含む画像１６を平面印刷時と同様に印刷し、これによって、当該表示面１４に凹凸のある画像１６を形成したものである。
【００３６】  ここで、図２は、前記本体板１８の形成および画像１６の印刷によって板状看板を作成する手順の説明図である。
【００３７】  まず、図２（ａ）に示すように、原図２８（対象物の写真やイラストを含む画像とその他、商品名や値段等の関連する文字部も含むことができる）を参照して（若しくは、粘土状の樹脂で表示面１４側に凹凸を形成して雄型（雄型原型）３０を作成する。
【００３８】  雄型３０において、上記凹凸は、インクジェットプリンタ１２の印刷可能高さを勘案して形成する。樹脂は、ウレタン、エポキシ等の樹脂の硬化剤の調整によって、比較的穏やかに硬化するものとして形成に支障のないようにする。また、平板のベース面１４ｂを対応させる部位３０ｂとしてそこに凹凸部１４ａに対応する部位３０ａを盛り上げて形成する。文字部１４ｃに対応する部位３０ｃも合わせて浮き文字になるよう盛り上げて雄型３０を形成する。
【００３９】  図２（ｂ）に示すように。型枠３２に雄型３０を納めて流動性樹脂を付与して硬化させて雌型３４を形成する。
【００４０】  図２（ｃ）に示すように、型枠３６に雌型３４を納めて流動性樹脂を流し込み、硬化させて本体板１８を作成する。上記のように雌型および本体板１８は、ウレタン、エポキシ、ＦＲＰ等の樹脂を適切に選択して形成するものである。
【００４１】  そして、図２（ｄ）に示すように、硬化した本体板１８の表示面１４に、インクジェットプリンタ１２によってインクジェットヘッド１２Ｋ、１２Ｃ、１２Ｍ、１２Ｙ、１２Ｗから各色紫外線硬化型インクを噴射して対象物の写真やイラストを含む画像１６を平面印刷時と同様に印刷することによって、当該表示面１４に凹凸のある画像１６を形成する。
【００４２】  実施形態の板状看板によれば、板状看板１０の本体板１８は、表示面１４を、インクジェットプリンタ１２の印刷可能高さ範囲内であって対象物の写真やイラストに応じて凹凸形成した樹脂成型板とし、前記前記本体板１８の凹凸形成された表示面１４に、インクジェットプリンタ１２によって紫外線硬化型インクを噴射して対象物の写真やイラストを含む画像１６を平面印刷時と同様に印刷することによって、当該表示面１４に凹凸のある画像１６を形成した板状看板１０を形成することができる。したがって、板状看板１０においては、写真やイラストを平面印刷するよりも凹凸によって商品等対象物の立体感が強調されて、立体的な目を引く看板にできる。
【００４３】  なお、板状看板１０の本体板１８は、対象物の写真やイラストまたは対象物の現物や模型に基づき形成された奥行のある雄型３０から形成した樹脂製の雌型３４に樹脂材を流し込んで形成したものにするので、雌型３４に樹脂材を流し込むことによって必要に応じて任意に多数の本体板１８を作成することができ、その本体板１８に対象物の写真やイラストを含む画像１６を平面印刷時と同様に印刷することによって、当該表示面１４に凹凸のある画像１６を形成できる。したがって、本体板１８を個別に作成するよりも、多数の板状看板１０を必要数簡単に作成することができる等の優れた効果を奏し得る。
【００４４】  なお、本考案は、上記実施形態に限定されず、本考案の技術思想の範囲内ならば、種々に変形実施できる。例えば、インクジェットプリンタから噴射印刷する紫外線硬化型インクはＫ（黒）、Ｃ（シアン）、Ｍ（マゼンタ）、Ｙ（イエロー）、Ｗ（白）から必要に応じて、色数を減らしたり、他の色やＣやＭ等の中間色のインクを追加して印刷するものにできる。
【産業上の利用可能性】
【００４５】  本考案の板状看板は、商品自体を販売する店舗や飲食のサービスを提供する店舗において、客に販売する商品や提供するサービスに関する商品の写真やイラスト、キャラクターおよびその名称等の関連情報の表示された看板に利用することができる。
【符号の説明】
【００４６】１０  板状看板１２  インクジェットプリンタ１２Ｋ、１２Ｃ、１２Ｍ、１２Ｙ、１２Ｗ  インクジェットプリンタの黒、シアン、マゼンタ、イエロー、白の各色のインクジェットヘッド１４  表示面１４ａ  表示面の凹凸部１４ｂ  表示面のベース面１４ｃ  表示面の文字部１６  画像１８  本体板２０（２０Ｋ、２０Ｃ、２０Ｍ、２０Ｙ、２０Ｗ）  インク貯蔵部（黒、シアン、マゼンタ、イエロー、白）２２（２２Ａ、２２Ｂ、２２Ｃ、２２Ｄ）  半硬化光源２４  完全硬化光源２６  吸着ベルト搬送部２８  原図３０  雄型（雄型原型）３２  型枠３４  雌型３６  型枠
【図１】
0003168678.tif 000003
【図２】
0003168678.tif 000004